【手続補正書】
【提出日】平成18年1月6日(2006.1.6)
【手続補正１】
【補正対象書類名】明細書
【補正対象項目名】発明の名称
【補正方法】変更
【補正の内容】
【発明の名称】撮影装置、合成画像生成方法およびプログラム
【手続補正２】
【補正対象書類名】明細書
【補正対象項目名】特許請求の範囲
【補正方法】変更
【補正の内容】
【特許請求の範囲】
【請求項１】  順次撮影して得られた複数の画像を合成することにより、露出補正された合成画像を得る撮影装置であって、
前記複数の画像のうち各画像における特定点を抽出し、基準画像上での特定点に対する他の画像上での特定点の変位量を検出する検出手段と、
この検出手段の検出結果に基づいて、前記他の画像の座標変換を行う座標変換手段と、
前記基準画像および前記座標変換手段で座標変換された他の画像を合成する合成手段とを有し、
前記検出手段は、前記基準画像のうち少なくとも２つの領域に分割し、一方の領域内に含まれる特定点に基づいて前記変位量の検出を行うことを特徴とする撮影装置。
【請求項２】  前記一方の領域が、前記基準画像のうち周辺に位置する領域であることを特徴とする請求項１に記載の撮影装置。
【請求項３】  前記一方の領域が、前記基準画像のうち合焦領域以外の領域であることを特徴とする請求項１に記載の撮影装置。
【請求項４】  前記一方の領域が、前記基準画像のうち、撮影画面内に設けられた焦点検出領域に相当する領域以外の領域であることを特徴とする請求項１に記載の撮影装置。
【請求項５】  順次撮影して得られた複数の画像を合成することにより、露出補正された合成画像を得る撮影装置であって、
前記複数の画像のうち各画像における特定点を抽出し、基準画像上での特定点に対する他の画像上での特定点の変位量を検出する検出手段と、
この検出手段の検出結果に基づいて、前記他の画像のうち合成に適した画像を選択する画像選択手段と、
前記基準画像および前記画像選択手段で選択された画像を合成する合成手段とを有することを特徴とする撮影装置。
【請求項６】  前記画像選択手段により選択された画像に対して、前記検出手段の検出結果に基づいて座標変換を行う座標変換手段を有し、
前記合成手段は、前記基準画像および前記座標変換手段で座標変換された画像を合成することを特徴とする請求項５に記載の撮影装置。
【請求項７】  前記画像選択手段は、前記特定点の変位量が基準量以下であるか否かを判断し、基準量以下にある画像を選択することを特徴とする請求項５又は６に記載の撮影装置。
【請求項８】  前記画像選択手段の選択動作を制御し、前記基準量を変更可能な選択制御手段を有することを特徴とする請求項７に記載の撮影装置。
【請求項９】  前記選択制御手段は、撮影条件に応じて前記基準値を変更することを特徴とする請求項８に記載の撮影装置。
【請求項１０】  前記検出手段は、前記基準画像のうち少なくとも２つの領域に分割し、一方の領域内に含まれる特定点に基づいて前記変位量の検出を行うことを特徴とする請求項５又は６に記載の撮影装置。
【請求項１１】  前記検出手段は、前記少なくとも２つの領域のうち他方の領域内に含まれる特定点に基づいて前記変位量の検出を行うことを特徴とする請求項１０に記載の撮影装置。
【請求項１２】  前記他方の領域が、前記基準画像のうち、撮影画面内に設けられた焦点検出領域に相当する領域であることを特徴とする請求項１１に記載の撮影装置。
【請求項１３】  順次撮影して得られた複数の画像を合成することにより、露出補正された合成画像を得るための合成画像生成方法であって、
前記複数の画像のうち各画像における特定点を抽出し、基準画像上での特定点に対する他の画像上での特定点の変位量を検出する検出ステップと、
この検出ステップの検出結果に基づいて、前記他の画像の座標変換を行う座標変換ステップと、
前記基準画像および前記座標変換ステップで座標変換された他の画像を合成する合成ステップとを有し、
前記検出ステップにおいて、前記基準画像のうち少なくとも２つの領域に分割し、一方の領域内に含まれる特定点に基づいて前記変位量の検出を行うことを特徴とする合成画像生成方法。
【請求項１４】  順次撮影して得られた複数の画像を合成することにより、露出補正された合成画像を得るための合成画像生成方法であって、
前記複数の画像のうち各画像における特定点を抽出し、基準画像上での特定点に対する他の画像上での特定点の変位量を検出する検出ステップと、
この検出ステップの検出結果に基づいて、前記他の画像のうち合成に適した画像を選択する画像選択ステップと、
前記基準画像および前記画像選択ステップで選択された画像を合成する合成ステップとを有することを特徴とする合成画像生成方法。
【請求項１５】  前記画像選択ステップにより選択された画像に対して、前記検出ステップの検出結果に基づいて座標変換を行う座標変換ステップを有し、
前記合成ステップにおいて、前記基準画像および前記座標変換ステップで座標変換された画像を合成することを特徴とする請求項１４に記載の合成画像生成方法。
【請求項１６】  前記画像選択ステップにおいて、前記特定点の変位量が基準量以下であるか否かを判断し、基準量以下にある画像を選択することを特徴とする請求項１４又は１５に記載の合成画像生成方法。
【請求項１７】  前記画像選択ステップの選択動作を制御し、前記基準量を変更可能な選択制御ステップを有することを特徴とする請求項１６に記載の合成画像生成方法。
【請求項１８】  前記選択制御ステップにおいて、撮影条件に応じて前記基準値を変更することを特徴とする請求項１７に記載の合成画像生成方法。
【請求項１９】  前記検出ステップにおいて、前記基準画像のうち少なくとも２つの領域に分割し、一方の領域内に含まれる特定点に基づいて前記変位量の検出を行うことを特徴とする請求項１４又は１５に記載の合成画像生成方法。
【請求項２０】  前記検出ステップにおいて、前記少なくとも２つの領域のうち他方の領域内に含まれる特定点に基づいて前記変位量の検出を行うことを特徴とする請求項１９に記載の合成画像生成方法。
【請求項２１】  順次撮影して得られた複数の画像を合成することにより、露出補正された合成画像を得る撮影装置であって、
前記複数の画像のうち各画像における特定点を抽出し、基準画像上での特定点に対する他の画像上での特定点の変位量を検出する検出手段と、
この検出手段の検出結果に基づいて、前記複数の画像の撮影がすべて終了した後に前記他の画像の座標変換を行う座標変換手段と、
前記基準画像および前記座標変換手段で座標変換された他の画像を合成する合成手段とを有することを特徴とする撮影装置。
【請求項２２】  順次撮影して得られた複数の画像を合成することにより、露出補正された合成画像を得る撮影装置であって、
前記複数の画像のうち各画像における特定点を抽出し、前記複数の画像の撮影がすべて終了した後に基準画像上での特定点に対する他の画像上での特定点の変位量を検出する検出手段と、
この検出手段の検出結果に基づいて前記他の画像の座標変換を行う座標変換手段と、
前記基準画像および前記座標変換手段で座標変換された他の画像を合成する合成手段とを有することを特徴とする撮影装置。
【請求項２３】  順次撮影して得られた複数の画像を合成することにより、露出補正された合成画像を得る撮影装置であって、
前記複数の画像のうち各画像における特定点を抽出し基準画像上での特定点に対する他の画像上での特定点の変位量を検出する検出手段と、
この検出手段の検出結果に基づいて前記他の画像の座標変換を行う座標変換手段と、
前記複数の画像の撮影がすべて終了した後に前記基準画像および前記座標変換手段で座標変換された他の画像を合成する合成手段とを有することを特徴とする撮影装置。
【請求項２４】  請求項１３から２０のいずれかに記載の合成画像生成方法をコンピュータに実行させることを特徴とするプログラム。
【手続補正３】
【補正対象書類名】明細書
【補正対象項目名】００２２
【補正方法】変更
【補正の内容】
【００２２】
本願第２の発明は、順次撮影して得られた複数の画像を合成することにより、露出補正された合成画像を得るための合成画像生成方法又は、この合成画像生成方法をコンピュータに実行させるためのプログラムであって、前記複数の画像のうち各画像における特定点を抽出し、基準画像上での特定点に対する他の画像上での特定点の変位量を検出する検出ステップと、この検出ステップの検出結果に基づいて、前記他の画像の座標変換を行う座標変換ステップと、前記基準画像および前記座標変換ステップで座標変換された他の画像を合成する合成ステップとを有し、前記検出ステップにおいて、前記基準画像のうち少なくとも２つの領域に分割し、一方の領域内に含まれる特定点に基づいて前記変位量の検出を行うことを特徴とする。